(57)【要約】【課題】屋内の天井取り付けによる照明器具展示方法に替わって、壁面を有効に利用して展示を行なうようにする。【解決手段】照明器具展示用建屋の内壁面の任意の位置に水平に取り付けられた角型部材１２に一端を引掛けて固定し、他端を壁面から片持ち梁状に突出させて装着するアーム状部材（角型パイプ１）を有し、アーム状部材の一端には水平角型部材１２に係合する断面鉤型の取付金具２が設けられ、他端のアーム状部材先端部下面には引掛けローゼット３が設けられ、引掛けローゼット３に接続する電源線１３はアーム状部材の内部を通すか又は外面に沿って配線され、引掛けローゼット３に電源コード８に接続された引掛けプラグ４をはめ込み、アーム状部材の先端に照明器具７を吊り下げるようにした。【選択図】　　　図２
2004071277.tif 000002
【特許請求の範囲】
【請求項１】
照明器具展示用建屋の内壁面の任意の位置に水平に取り付けられた角型部材に一端を引掛けて固定し、他端を壁面から片持ち梁状に突出させて装着するアーム状部材を有し、アーム状部材の一端には前記角型部材に係合する断面鉤型の取付金具が設けられ、他端のアーム状部材先端部下面には引掛けローゼットが設けられ、引掛けローゼットに接続する電源線はアーム状部材の内部を通すか又は外面に沿って配線されることを特徴とする照明器具展示用什器。
【請求項２】
前記アーム状部材は角型パイプ又は円形パイプなどの中空構造であることを特徴とする請求項１記載の照明器具展示用什器。
【請求項３】
前記アーム状部材を角型部材に係合させた後、取付金具を角型部材にネジ止めにより固定することを特徴とする請求項１記載の照明器具展示用什器。
【請求項４】
前記引掛けローゼットに照明器具コードに接続された引掛けプラグを挿入し、アーム状部材の先端に照明器具を吊り下げることを特徴とする請求項１記載の照明器具展示用什器。
【請求項５】
前記アーム状部材を２分割し、一方を他方に挿入して伸縮自在としたことを特徴とする請求項１記載の照明器具展示用什器。
【請求項６】
前記２分割したアーム状部材を任意の長さに調整した後、２分割したアーム状部材をネジ止めにより固定することを特徴とする請求項５記載の照明器具展示用什器。
【請求項７】
前記アーム状部材と取付金具とをピンジョイント接続し、アーム状部材を関節構造として回転自在としたことを特徴とする請求項１記載の照明器具展示用什器。
【請求項８】
前記アーム状部材は中実の棒部材であることを特徴とする請求項１記載の照明器具展示用什器。
【発明の詳細な説明】
【０００１】
【発明の属する技術分野】
本発明は、蛍光灯などの照明器具を展示場や販売店などで展示する際に使用する取り付け用什器に関するもので、特に屋内のスペースを有効活用できるようにした照明器具展示用什器に関する。
【０００２】
【従来の技術】
従来、照明器具を展示する際は、屋内の天井に照明器具を取り付けて展示するのが主流であった。そのため、図６の外観図に示すように、天井に電源線を這わせたり引掛けローゼット取り付け具を固定したりする工事が必要になり、特に、吊り下げ型の照明器具７については、電源コード８で懸垂する構造であるため、引掛けローゼット３に引掛けプラグ４をはめ込んで天井から吊り下げるしか方法がなかった。
【０００３】
また、天井以外に取り付ける場合、例えば、壁などに取り付けようとする場合には、図７の外観図に示すように、あらかじめ照明器具に引掛けローゼット３や電源コード８を有するフレーム構造のスタンド型什器９を具備しておき、照明器具が一定の高さで吊り下げられるよう、このスタンド型什器９を壁に設けた金具等に引掛けて使用する、と言った方策が採られている。
【０００４】
しかしながら、店舗での展示の場合、天井に照明器具を取り付けようとしても取り付けスペースが天井の一部に限定されたり、また、展示品がお客様の頭上に位置することから、お客様の目線が上向きになって常に見上げる形になったりするため、楽な姿勢で展示品を眺めるには展示効果上もあまり良い展示方法とは言えない。また、天井以外の場所に展示しようとすると、照明器具を置くための台やスタンドが必要となり、これらの展示用什器も大型で高価なものとなっていた。
【０００５】
【発明が解決しようとする課題】
このように、従来の主流である天上取り付け型の照明器具展示方法では、お客様にとっては見にくい位置に展示されているため余計な神経を使わなくてはならない。また、展示する側においては、天井への取り付け取り外しに要するネジ止めなどの煩わしい作業が多くなり、作業工数の増加につながっている。
【０００６】
本発明は、これらの問題点を解決するためになされたもので、従来の天井取り付けによる照明器具展示方法に替わって屋内の壁面を有効に利用して展示を行なうようにすることによって、照明器具の展示作業を容易にし、かつお客様への展示アピールを効果的に行なうことができるとともに、小形に製作できるため持ち運びが容易であり、安価に製作できる照明器具展示用什器を提供することを目的とする。
【０００７】
【課題を解決するための手段】
本発明の照明器具展示用什器は、照明器具展示用建屋の内壁面の任意の位置に水平に取り付けられた角型部材に一端を引掛けて固定し、他端を壁面から片持ち梁状に突出させて装着するアーム状部材を有し、アーム状部材の一端には前記角型部材に係合する断面鉤型の取付金具が設けられ、他端のアーム状部材先端部下面には引掛けローゼットが設けられ、引掛けローゼットに接続する電源線はアーム状部材の内部を通すか又は外面に沿って配線される構造を備えている。
【０００８】
また、本発明に使用する前記アーム状部材は角型パイプ又は円形パイプなどの中空構造であり、また、このアーム状部材を角型部材に係合させた後、取付金具を角型部材にネジ止めにより固定する構造となっており、さらに、前記引掛けローゼットに照明器具コードに接続された引掛けプラグをはめ込み、アーム状部材の先端に照明器具を吊り下げる構造となっている。
【０００９】
また、本発明は、前記アーム状部材を２分割し、一方を他方に挿入して伸縮自在とした構造を備え、この２分割したアーム状部材を任意の長さに調整した後、２分割したアーム状部材をネジ止めにより固定するようになっている。
【００１０】
また、本発明は、前記アーム状部材と取付金具とをピンジョイント接続し、アーム状部材を関節構造として回転自在としたものであり、さらに前記アーム状部材は中実の棒部材を使用することも可能である。
【００１１】
【発明の実施の形態】
次に、本発明の実施の形態について、図面を参照して説明する。通常、一般的な店舗の壁面には、あらかじめ図８の正面図に示すように、複数本の帯板１０が垂直に取り付けられており、この帯板１０と帯板１０の間に角形パイプあるいは板状部材からなる角型部材１２が水平に渡されて取り付けられる構造となっている。帯板１０には多数の長穴１１が開けられており、この長穴１１を利用して角型パイプ等の水平角型部材１２を取り付けるための蝶番などの取付金具２ｂが着脱自在に装着できる構造となっており、これにより、壁面の任意の高さ位置に水平角型部材１２を取り付けられる構造になっている。また、この水平角型部材１２は複数本を上下方向に平行に渡してもよいし、任意の帯板間に渡してもよい。
【００１２】
このように、一般的な店舗や展示室の壁面には、前もって前記したような構造物が設置されていることが多いため、本発明は、この壁面構造物を利用して照明器具展示用に適した什器を提供し、目的を達成しようとするものである。
【００１３】
図１は、本発明の第１の実施の形態を示す斜視図である。図１に示すように、本発明の什器は、アーム状部材である角型パイプ１と、角型パイプ１の一端に固定された断面鉤型の取付金具２と、角型パイプ１の他端下面に取り付けられた引掛けローゼット３とで構成される。この什器を壁面に取り付けるには、図２の側面図に示すように、取付金具２の鉤型部分を水平角型部材１２に引掛けて蝶ネジ６で固定し、外部から供給される電源線１３は角型パイプ１の内部を通すか又は外面に這わせて見栄えの良いように配線し、引掛けローゼット３に接続させている。なお、アーム状部材は、角型パイプではなく円形パイプでもよく、以下の第２、第３の実施の形態についても同様である。
【００１４】
このように、本発明の照明器具展示用什器は、壁面から片持ち梁状に突出したアーム状の中空棒状部材で構成されており、照明器具７を吊り下げる時は、この中空棒状部材の先端下面に設けた引掛けローゼット３に、照明器具７の電源コード８の先端に取り付けられた引掛けプラグ４をはめ込み、その回りにカバー５を被せ、照明器具７を吊り下げる。アーム状部材の材料は、金属、樹脂、木材など何でもよいが、自重を軽くして大きい曲げモーメントに耐え得るように設計することが好ましい。
【００１５】
図３は、本発明における第２の実施の形態を示す側面図である。本実施の形態は、角型パイプを１ａ、１ｂに２分割し、一方を他方に挿入可能とし、アームの長さを伸縮自在としたものである。これによって、高さ方向の位置だけでなく前後方向の展示位置の調整も容易である。調整後は蝶ネジ６で固定する。その他の構造は第１の実施の形態と同じである。なお、アームの長さ調整は、分割構造にせずに長さの異なるものを複数本準備しておいて必要に応じて使い分けてもよい。
【００１６】
図４は、本発明における第３の実施の形態を示す側面図である。本実施の形態は、角型パイプ１と取付金具２の接続を一体化構造ではなくピンジョイント１４を用いた関節構造とし、回転自在としたものである。これによって、高さ方向の位置だけでなく回転方向の展示位置の調整も容易である。さらに、本実施の形態と前記第２の実施の形態を組み合わせた構造としてもよい。
【００１７】
図５は、本発明における第４の実施の形態を示す斜視図である。図５のように、本実施の形態は中空棒状部材を使用するのではなく、中実の棒部材１５を使用してその一端を曲げ加工し、他端にネジ止め可能な取付金具２ａを取り付けて水平角型部材１２に装着できるようにしている。この棒部材１５を使用すれば、電源コード吊り下げ式の照明器具に限らず、反射板を有するチェーン吊り下げ式の照明器具などにも適用可能である。
【００１８】
上記各実施の形態で説明してきたように、本発明の照明器具展示用什器は、小形のアーム状部材で構成されていることから持ち運びが容易であり、屋内の天井に取り付け工事を施す必要がなくなり、かつネジのみで着脱が容易であるという利便性をそれぞれ備えている。
【００１９】
【発明の効果】
以上説明したように、本発明の照明器具展示用什器によれば、照明器具（特に、吊り下げ型照明器具）の壁面での展示が容易となることから、狭い店舗内でのスペースの有効活用や、壁面を利用した効果的な展示アピールを行なうことができる。また、什器が小形に製作できるので、持ち運びが容易であるとともに安価に製作することができる。
【００２０】
さらに、天井取り付けに要する作業工数が不要となり、壁面の自由な位置に照明器具を取り付けることができることから、山積み展示用など種々な展示方法が自由にレイアウトでき、お客様の目線に合った効果的な展示を容易に実施することができる。
【図面の簡単な説明】
【図１】本発明の第１の実施の形態を示す斜視図である。
【図２】本発明の第１の実施の形態を示す側面図である。
【図３】本発明の第２の実施の形態を示す側面図である。
【図４】本発明の第３の実施の形態を示す側面図である。
【図５】本発明の第４の実施の形態を示す側面図である。
【図６】従来の天井取り付け状態を示す外観図である。
【図７】従来のスタンド型什器を示す外観図である。
【図８】従来の壁面構造の一例を示す外観図である。
【符号の説明】
１、１ａ、１ｂ　　角型パイプ
２、２ａ、２ｂ　　取付金具
３　　引掛けローゼット
４　　引掛けプラグ
５　　カバー
６　　蝶ネジ
７　　照明器具
８　　電源コード
９　　スタンド型什器
１０　　帯板
１１　　長穴
１２　　水平角型部材
１３　　電源線
１４　　ピンジョイント
１５　　棒部材
【図１】
2004071277.tif 000003
【図２】
2004071277.tif 000004
【図３】
2004071277.tif 000005
【図４】
2004071277.tif 000006
【図５】
2004071277.tif 000007
【図６】
2004071277.tif 000008
【図７】
2004071277.tif 000009
【図８】
2004071277.tif 000010